(57)【要約】【課題】２心双方向通信装置間の通信を１本の光ファイバ心線を用いて行わせることができるようにするための２心双方向通信装置用の単心双方向通信アダプタ装置を提供する。【解決手段】２心双方向通信装置用の単心双方向通信アダプタ装置１０は、光カプラ１１と、光カプラ１１と２心双方向通信装置の光送信部１とを接続するための第１のレセプタクル１２1と、光カプラ１１と２心双方向通信装置の光受信部２とを接続するための第２のレセプタクル１２2と、光カプラ１１と光ファイバ心線３とを接続するための第３のレセプタクル１２3と、光カプラ１１と接続された第４のレセプタクル１２4と、光カプラ１１と第１のレセプタクル１２1との間に設けられたかつ反射光が第１のレセプタクル１２1に入射するのを防止するための光アイソレータ１３と、第４のレセプタクル１２4の光カプラ１１と反対側に取り付けられた無反射終端コネクタ１４とを備える。【選択図】  図１
2005333310.tif 000002
【特許請求の範囲】
【請求項１】
送信系と受信系とで別々の光ファイバ心線を用いて通信を行う２心双方向通信装置（５０，６０）に接続されて使用される２心双方向通信装置用の単心双方向通信アダプタ装置（１０，１１０）であって、
光カプラ（１１，１１１）と、
該光カプラと前記２心双方向通信装置の光送信部（１，５１，６１）とを接続するための第１のレセプタクル（１２1，１１２1）と、
前記光カプラと前記２心双方向通信装置の光受信部（２，５２，６２）とを接続するための第２のレセプタクル（１２2，１１２2）と、
前記光カプラと光ファイバ心線（３，７０）とを接続するための第３のレセプタクル（１２3，１１２3）と、
を備えることを特徴とする、２心双方向通信装置用の単心双方向通信アダプタ装置。
【請求項２】
前記光カプラと前記第１のレセプタクルとの間に設けられたかつ反射光が該第１のレセプタクルに入射するのを防止するための光アイソレータ（１３，１１３）をさらに備えることを特徴とする、請求項１記載の２心双方向通信装置用の単心双方向通信アダプタ装置。
【請求項３】
前記光カプラが２：２の光カプラ（１１）であり、
前記２心双方向通信装置用の単心双方向通信アダプタ装置（１０）が、
前記光カプラと接続された第４のレセプタクル（１２4）と、
該第４のレセプタクルの前記光カプラと反対側に取り付けられた無反射終端コネクタ（１４）とをさらに備える、
ことを特徴とする、請求項１または２記載の２心双方向通信装置用の単心双方向通信アダプタ装置。
【請求項４】
前記光カプラが１：２の光カプラ（１１１）であることを特徴とする、請求項１または２記載の２心双方向通信装置用の単心双方向通信アダプタ装置。
【請求項５】
送信系と受信系とで別々の光ファイバ心線を用いて通信を行う第１および第２の２心双方向通信装置（５０，６０）間で１本の光ファイバ心線（７０）を介して通信を行わせる２心双方向通信装置間の通信方法であって、
２心双方向通信装置用の単心双方向通信アダプタ装置（１０，１１０）を前記第１および第２の２心双方向通信装置にそれぞれ接続し、
前記第１の２心双方向通信装置（５０）に接続された前記２心双方向通信装置用の単心双方向通信アダプタ装置と前記第２の２心双方向通信装置（６０）に接続された前記２心双方向通信装置用の単心双方向通信アダプタ装置とを前記１本の光ファイバ心線を介して接続し、
前記第１の２心双方向通信装置（５０）の光送信部（５１）から出力された光信号を該第１の２心双方向通信装置に接続された前記２心双方向通信装置用の単心双方向通信アダプタ装置，前記１本の光ファイバ心線および前記第２の２心双方向通信装置（６０）に接続された前記２心双方向通信装置用の単心双方向通信アダプタ装置を介して該第２の２心双方向通信装置の光受信部（６２）に送信し、
前記第２の２心双方向通信装置（６０）の光送信部（６１）から出力された光信号を該第２の２心双方向通信装置に接続された前記２心双方向通信装置用の単心双方向通信アダプタ装置，前記１本の光ファイバ心線および前記第１の２心双方向通信装置（５０）に接続された前記２心双方向通信装置用の単心双方向通信アダプタ装置を介して該第１の２心双方向通信装置の光受信部（５２）に送信する、
ことを特徴とする、２心双方向通信装置間の通信方法。
【請求項６】
前記２心双方向通信装置用の単心双方向通信アダプタ装置が、光カプラ（１１，１１１）と、該光カプラと前記第１または第２の２心双方向通信装置の光送信部（５１，６１）とを接続するための第１のレセプタクル（１２1，１１２1）と、前記光カプラと前記第１または第２の２心双方向通信装置の光受信部（５２，６２）とを接続するための第２のレセプタクル（１２2，１１２2）と、前記光カプラと前記１本の光ファイバ心線とを接続するための第３のレセプタクル（１２3，１１２3）とを備え、
前記第１の２心双方向通信装置（５０）の前記光送信部（５１）から出力された光信号を該第１の２心双方向通信装置に接続された前記２心双方向通信装置用の単心双方向通信アダプタ装置の前記第１のレセプタクル，前記光カプラ，前記第３のレセプタクル，前記１本の光ファイバ心線，前記第２の２心双方向通信装置（６０）に接続された前記２心双方向通信装置用の単心双方向通信アダプタ装置の前記第３のレセプタクル，前記光カプラおよび前記第２のレセプタクルを介して該第２の２心双方向通信装置の前記光受信部（６２）に送信し、
前記第２の２心双方向通信装置（６０）の前記光送信部（６１）から出力された光信号を該第２の２心双方向通信装置に接続された前記２心双方向通信装置用の単心双方向通信アダプタ装置の前記第１のレセプタクル，前記光カプラ，前記第３のレセプタクル，前記１本の光ファイバ心線，前記第１の２心双方向通信装置（５０）に接続された前記２心双方向通信装置用の単心双方向通信アダプタ装置の前記第３のレセプタクル，前記光カプラおよび前記第２のレセプタクルを介して該第１の２心双方向通信装置の前記光受信部（５２）に送信する、
ことを特徴とする、請求項５記載の２心双方向通信装置間の通信方法。
【請求項７】
前記光カプラが２：２の光カプラ（１１）であり、
前記２心双方向通信装置用の単心双方向通信アダプタ装置（１０）が、
前記光カプラと接続された第４のレセプタクル（１２4）と、
該第４のレセプタクルの前記光カプラと反対側に取り付けられた無反射終端コネクタ（１４）とをさらに備える、
ことを特徴とする、請求項６記載の２心双方向通信装置間の通信方法。
【請求項８】
前記光カプラが１：２の光カプラ（１１１）であることを特徴とする、請求項６記載の２心双方向通信装置間の通信方法。
【発明の詳細な説明】
【技術分野】
【０００１】
本発明は、送信系と受信系とで別々の光ファイバ心線を用いて通信を行う２心双方向通信装置間の通信を１本の光ファイバ心線を用いて行わせることができるようにするための２心双方向通信装置用の単心双方向通信アダプタ装置および２心双方向通信装置間の通信方法に関する。
【背景技術】
【０００２】
同一波長による光通信機器では、対向する送信装置の送信波長が同じであるため、送信系と受信系は別々の光ファイバ心線を用いて構成されている。すなわち、光送信部と光受信部とを備える２心双方向通信装置を２つの光端局にそれぞれ設け、一方の２心双方向通信装置の光送信部と他方の２心双方向通信装置の光受信部とを光ファイバ心線で接続するとともに、一方の２心双方向通信装置の光受信部と他方の２心双方向通信装置の光送信部とを他の光ファイバ心線で接続することにより、この２心双方向通信装置間の通信を同一波長の光を用いて行っている。
【０００３】
なお、一芯双方向光通信網にも二芯双方向光通信網にも対応することができるようにするために、一芯双方向光通信網の光ファイバの接続端部または二芯双方向光通信網の光ファイバの送信用接続端部が挿入される第１のポートと、二芯双方向光通信網の光ファイバの受信用接続端部が挿入される第２のポートと、第１のポート内にて、挿入された光ファイバの接続端部に対応して配設される発光素子および受光素子と、第２のポート内にて、挿入された光ファイバの接続端部に対応して配設される第２の発光素子とを含む、一芯双方向及び二芯双方向兼用送受信装置が、以下に示す特許文献１に開示されている。
また、二芯型と一芯型光トランシーバを相互に接続して双方向全二重型の光デジタル通信を行うことができるようにするために、双方向全二重方式の光信号を伝送するための単芯の光ファイバから成る光ファイバケーブルであって、単芯の光ファイバの一端部に対して、送信信号光および受信信号光を分配するための光分配器を介して、二芯型コネクタが取り付けられており、単芯の光ファイバの他端部に対して、一芯型光コネクタが取り付けられた光ファイバケーブルおよび光通信装置が、以下に示す特許文献２に開示されている。
【特許文献１】特開２０００−３０７５２４号公報
【特許文献２】特開２００２−２３０１４号公報
【発明の開示】
【発明が解決しようとする課題】
【０００４】
しかしながら、２心双方向通信装置間の通信を行う場合には、送信系と受信系とに別々の光ファイバ心線が必要になるため、光ファイバ心線の本数に余裕があるときには問題がないが、利用者の増加に伴い光ファイバ心線の本数が足りなくなったときには、新たに光ファイバケーブルを新設したり増設したりする必要が生じる。
また、既設の２心双方向通信装置間を接続する２本の光ファイバ心線のうちの１本が切断したりすると、この切断した光ファイバ心線の代わりに光ファイバケーブル内の他の光ファイバ心線を用いる必要が生じ、光ファイバケーブルの有効活用が図れなくなる。
【０００５】
本発明の目的は、２心双方向通信装置間の通信を１本の光ファイバ心線を用いて行わせることができるようにするための２心双方向通信装置用の単心双方向通信アダプタ装置および２心双方向通信装置間の通信方法を提供することにある。
【課題を解決するための手段】
【０００６】
本発明の２心双方向通信装置用の単心双方向通信アダプタ装置は、送信系と受信系とで別々の光ファイバ心線を用いて通信を行う２心双方向通信装置（５０，６０）に接続されて使用される２心双方向通信装置用の単心双方向通信アダプタ装置（１０，１１０）であって、光カプラ（１１，１１１）と、該光カプラと前記２心双方向通信装置の光送信部（１，５１，６１）とを接続するための第１のレセプタクル（１２1，１１２1）と、前記光カプラと前記２心双方向通信装置の光受信部（２，５２，６２）とを接続するための第２のレセプタクル（１２2，１１２2）と、前記光カプラと光ファイバ心線（３，７０）とを接続するための第３のレセプタクル（１２3，１１２3）とを備えることを特徴とする。
ここで、前記光カプラと前記第１のレセプタクルとの間に設けられたかつ反射光が該第１のレセプタクルに入射するのを防止するための光アイソレータ（１３，１１３）をさらに備えてもよい。
前記光カプラが２：２の光カプラ（１１）であり、前記２心双方向通信装置用の単心双方向通信アダプタ装置（１０）が、前記光カプラと接続された第４のレセプタクル（１２4）と、該第４のレセプタクルの前記光カプラと反対側に取り付けられた無反射終端コネクタ（１４）とをさらに備えてもよい。
前記光カプラが１：２の光カプラ（１１１）であってもよい。
【０００７】
本発明の２心双方向通信装置間の通信方法は、送信系と受信系とで別々の光ファイバ心線を用いて通信を行う第１および第２の２心双方向通信装置（５０，６０）間で１本の光ファイバ心線（７０）を介して通信を行わせる２心双方向通信装置間の通信方法であって、２心双方向通信装置用の単心双方向通信アダプタ装置（１０，１１０）を前記第１および第２の２心双方向通信装置にそれぞれ接続し、前記第１の２心双方向通信装置（５０）に接続された前記２心双方向通信装置用の単心双方向通信アダプタ装置と前記第２の２心双方向通信装置（６０）に接続された前記２心双方向通信装置用の単心双方向通信アダプタ装置とを前記１本の光ファイバ心線を介して接続し、前記第１の２心双方向通信装置（５０）の光送信部（５１）から出力された光信号を該第１の２心双方向通信装置に接続された前記２心双方向通信装置用の単心双方向通信アダプタ装置，前記１本の光ファイバ心線および前記第２の２心双方向通信装置（６０）に接続された前記２心双方向通信装置用の単心双方向通信アダプタ装置を介して該第２の２心双方向通信装置の光受信部（６２）に送信し、前記第２の２心双方向通信装置（６０）の光送信部（６１）から出力された光信号を該第２の２心双方向通信装置に接続された前記２心双方向通信装置用の単心双方向通信アダプタ装置，前記１本の光ファイバ心線および前記第１の２心双方向通信装置（５０）に接続された前記２心双方向通信装置用の単心双方向通信アダプタ装置を介して該第１の２心双方向通信装置の光受信部（５２）に送信することを特徴とする。
ここで、前記２心双方向通信装置用の単心双方向通信アダプタ装置が、光カプラ（１１，１１１）と、該光カプラと前記第１または第２の２心双方向通信装置の光送信部（５１，６１）とを接続するための第１のレセプタクル（１２1，１１２1）と、前記光カプラと前記第１または第２の２心双方向通信装置の光受信部（５２，６２）とを接続するための第２のレセプタクル（１２2，１１２2）と、前記光カプラと前記１本の光ファイバ心線とを接続するための第３のレセプタクル（１２3，１１２3）とを備え、前記第１の２心双方向通信装置（５０）の前記光送信部（５１）から出力された光信号を該第１の２心双方向通信装置に接続された前記２心双方向通信装置用の単心双方向通信アダプタ装置の前記第１のレセプタクル，前記光カプラ，前記第３のレセプタクル，前記１本の光ファイバ心線，前記第２の２心双方向通信装置（６０）に接続された前記２心双方向通信装置用の単心双方向通信アダプタ装置の前記第３のレセプタクル，前記光カプラおよび前記第２のレセプタクルを介して該第２の２心双方向通信装置の前記光受信部（６２）に送信し、前記第２の２心双方向通信装置（６０）の前記光送信部（６１）から出力された光信号を該第２の２心双方向通信装置に接続された前記２心双方向通信装置用の単心双方向通信アダプタ装置の前記第１のレセプタクル，前記光カプラ，前記第３のレセプタクル，前記１本の光ファイバ心線，前記第１の２心双方向通信装置（５０）に接続された前記２心双方向通信装置用の単心双方向通信アダプタ装置の前記第３のレセプタクル，前記光カプラおよび前記第２のレセプタクルを介して該第１の２心双方向通信装置の前記光受信部（５２）に送信してもよい。
前記光カプラが２：２の光カプラ（１１）であり、前記２心双方向通信装置用の単心双方向通信アダプタ装置（１０）が、前記光カプラと接続された第４のレセプタクル（１２4）と、該第４のレセプタクルの前記光カプラと反対側に取り付けられた無反射終端コネクタ（１４）とをさらに備えてもよい。
前記光カプラが１：２の光カプラ（１１１）であってもよい。
【発明の効果】
【０００８】
本発明の２心双方向通信装置用の単心双方向通信アダプタ装置および２心双方向通信装置間の通信方法は、次の効果を有する。
（１）２つの２心双方向通信装置に本発明の２心双方向通信装置用の単心双方向通信アダプタ装置をそれぞれ接続することによりこの２つの２心双方向通信装置間の通信を１本の光ファイバ心線を用いて行わせることができるため、本発明の２心双方向通信装置用の単心双方向通信アダプタ装置を使用しない場合に比べて、倍の数の新たな利用者を収容することができる。
（２）既設の２つの２心双方向通信装置を接続する２本の光ファイバ心線のうちの１本が切断した場合には、この２つの２心双方向通信装置に本発明の２心双方向通信装置用の単心双方向通信アダプタ装置をそれぞれ接続することにより、切断した光ファイバ心線の代わりに光ファイバケーブル内の他の光ファイバ心線を用いる必要なく、生きている方の光ファイバ心線のみを用いてこの２つの２心双方向通信装置間の通信を再開させることができる。
【発明を実施するための最良の形態】
【０００９】
２心双方向通信装置間の通信を１本の光ファイバ心線を用いて行わせることができるようにするという目的を、通信を行う２つの２心双方向通信装置に２心双方向通信装置用の単心双方向通信アダプタ装置をそれぞれ接続することにより実現した。
【実施例１】
【００１０】
以下、本発明の２心双方向通信装置用の単心双方向通信アダプタ装置（以下、「単心双方向通信アダプタ装置」と称する。）および２心双方向通信装置間の通信方法の実施例について図面を用いて説明する。
本発明の第１の実施例による単心双方向通信アダプタ装置１０は、図１に示すように、２：２の光カプラ１１と、光カプラ１１と２心双方向通信装置の光送信部１とを接続するための第１のレセプタクル１２1と、光カプラ１１と２心双方向通信装置の光受信部２とを接続するための第２のレセプタクル１２2と、光カプラ１１と光ファイバ心線３とを接続するための第３のレセプタクル１２3と、光カプラ１１と接続された第４のレセプタクル１２4と、光カプラ１１と第１のレセプタクル１２1との間に設けられたかつ反射光が第１のレセプタクル１２1に入射するのを防止するための光アイソレータ１３と、第４のレセプタクル１２4の光カプラ１１と反対側に取り付けられた無反射終端コネクタ１４とを備える。
【００１１】
次に、本実施例による単心双方向通信アダプタ装置１０を第１の光端局に設けられた第１の２心双方向通信装置５０および第２の光端局に設けられた第２の２心双方向通信装置６０にそれぞれ接続して１本の光ファイバ心線７０を介して２つの２心双方向通信装置間で通信を行わせるときの動作（本発明の一実施例による２心双方向通信装置間の通信方法）について、図２を参照して説明する。
第１の２心双方向通信装置５０から第２の２心双方向通信装置６０に光信号を送信する場合には、第１の２心双方向通信装置５０の光送信部５１から光信号が出力される。この光信号は、第１の２心双方向通信装置５０に接続された単心双方向通信アダプタ装置１０の第１のレセプタクル１２1および光アイソレータ１３を介して光カプラ１１に入力されて分岐される。このとき、光カプラ１１から第４のレセプタクル１２4に向けて出力される光信号は、第４のレセプタクル１２4を介して無反射終端コネクタ１４に入力されるため、光カプラ１１に再度入力されることはない。
また、光カプラ１１から第３のレセプタクル１２3に向けて出力される光信号は、第３のレセプタクル１２3を介して光ファイバ心線７０に入力されたのち、第２の２心双方向通信装置６０に接続された単心双方向通信アダプタ装置１０の第３のレセプタクル１２3を介して光カプラ１１に入力されて分岐される。このとき、光カプラ１１から第１のレセプタクル１２1に向けて出力される光信号は、光アイソレータ１３により第１のレセプタクル１２1に入力されることはない。一方、光カプラ１１から第２のレセプタクル１２2に向けて出力される光信号は、第２のレセプタクル１２2を介して第２の２心双方向通信装置６０の光受信部６２に入力される。これにより、第１の２心双方向通信装置５０から送信された光信号は第２の２心双方向通信装置６０に受信される。
【００１２】
第２の２心双方向通信装置６０から第１の２心双方向通信装置５０に光信号を送信する場合には、第２の２心双方向通信装置６０の光送信部６１から光信号が出力される。この光信号は、第２の２心双方向通信装置６０に接続された単心双方向通信アダプタ装置１０の第１のレセプタクル１２1および光アイソレータ１３を介して光カプラ１１に入力されて分岐される。このとき、光カプラ１１から第４のレセプタクル１２4に向けて出力される光信号は、第４のレセプタクル１２4を介して無反射終端コネクタ１４に入力されるため、光カプラ１１に再度入力されることはない。
また、光カプラ１１から第３のレセプタクル１２3に向けて出力される光信号は、第３のレセプタクル１２3を介して光ファイバ心線７０に入力されたのち、第１の２心双方向通信装置５０に接続された単心双方向通信アダプタ装置１０の第３のレセプタクル１２3を介して光カプラ１１に入力されて分岐される。このとき、光カプラ１１から第１のレセプタクル１２1に向けて出力される光信号は、光アイソレータ１３により第１のレセプタクル１２1に入力されることはない。一方、光カプラ１１から第２のレセプタクル１２2に向けて出力される光信号は、第２のレセプタクル１２2を介して第１の２心双方向通信装置５０の光受信部５２に入力される。これにより、第２の２心双方向通信装置６０から送信された光信号は第１の２心双方向通信装置５０に受信される。
【００１３】
以上説明したように、第１および第２の２心双方向通信装置５０，６０間の通信を１本の光ファイバ心線７０を介して行わせることができるため、単心双方向通信アダプタ装置１０を用いない場合に比べて倍の数の新たな利用者を収容することができる。また、第１および第２の２心双方向通信装置５０，６０を接続する２本の光ファイバ心線のうちの１本が切断した場合でも、生きている方の光ファイバ心線（光ファイバ心線７０）のみを用いて第１および第２の２心双方向通信装置５０，６０間の通信を再開させることができるようになるため、切断した光ファイバ心線の代わりに光ファイバケーブル内の他の光ファイバ心線を用いる必要をなくすことができる。
【実施例２】
【００１４】
次に、本発明の第２の実施例による２心双方向通信装置用の単心双方向通信アダプタ装置（以下、「単心双方向通信アダプタ装置」と称する。）について、図３を参照して説明する。
本実施例による単心双方向通信アダプタ装置１１０は、図１に示した２：２の光カプラ１１の代わりに１：２の光カプラ１１１を備える点で、上述した第１の実施例による単心双方向通信アダプタ装置１０と異なる。
これにより、本実施例による単心双方向通信アダプタ装置１１０では、２心双方向通信装置の光送信部１から出力される光信号は第１のレセプタクル１１２1，光アイソレータ１１３，光カプラ１１１および第３のレセプタクル１１２3を介して光ファイバ心線３に入力され、また、光ファイバ心線３から入力される光信号は第３のレセプタクル１１２3，光カプラ１１１および第２のレセプタクル１１２2を介して２心双方向通信装置の光受信部２に入力されるため、図１に示した第４のレセプタクル１２4と無反射終端コネクタ１４とは不要となる。
【００１５】
本実施例による単心双方向通信アダプタ装置１１０を第１の光端局に設けられた第１の２心双方向通信装置５０および第２の光端局に設けられた第２の２心双方向通信装置６０にそれぞれ接続して１本の光ファイバ心線７０を介して第１および第２の２心双方向通信装置５０，６０間で通信を行わせるときの動作については、図２を参照して上述した第１の実施例による単心双方向通信アダプタ装置１０を用いたときの動作と同様であるので、その説明は省略する。
【００１６】
以上の説明では、第１のレセプタクル１２1，１１２1と光カプラ１１，１１１との間に光アイソレータ１３，１１３を設けたが、光アイソレータ１３，１１３は、光カプラ１１，１１１からの反射光の大きさや光カプラ１１，１１１の光分岐性能によっては必ずしも必要ではない。
【産業上の利用可能性】
【００１７】
本発明の２心双方向通信装置用の単心双方向通信アダプタ装置および２心双方向通信装置間の通信方法は、新たに設けられる２心双方向通信装置間の通信を１本の光ファイバ心線を用いて行わせるためのアダプタ装置として、また、既設の２つの２心双方向通信装置を接続する２本の光ファイバ心線のうちの１本が切断した場合に生きている方の光ファイバ心線だけを使用してこの２心双方向通信装置間の通信を再開させるためのアダプタ装置として、さらに、光ファイバの心線不足対策（設備の稼働率向上策）として使用することができる。
【図面の簡単な説明】
【００１８】
【図１】本発明の第１の実施例による２心双方向通信装置用の単心双方向通信アダプタ装置の構成を示す機能ブロック図である。（実施例１）
【図２】図１に示した単心双方向通信アダプタ装置１０を第１の光端局に設けられた第１の２心双方向通信装置５０および第２の光端局に設けられた第２の２心双方向通信装置６０にそれぞれ接続して１本の光ファイバ心線７０を介して第１および第２の２心双方向通信装置５０，６０間で通信を行わせるときの動作（本発明の一実施例による２心双方向通信装置間の通信方法）を説明するための図である。（実施例１）
【図３】本発明の第２の実施例による２心双方向通信装置用の単心双方向通信アダプタ装置の構成を示す機能ブロック図である。（実施例２）
【符号の説明】
【００１９】
１，５１，６１  光送信部
２，５２，６２  光受信部
３，７０  光ファイバ心線
１０，１１０  単心双方向通信アダプタ装置
１１，１１１  光カプラ
１２1，１１２1  第１のレセプタクル
１２2，１１２2  第２のレセプタクル
１２3，１１２3  第３のレセプタクル
１２4  第４のレセプタクル
１３，１１３  光アイソレータ
１４  無反射終端コネクタ
５０  第１の２心双方向通信装置
６０  第２の２心双方向通信装置
【図１】
2005333310.tif 000003
【図２】
2005333310.tif 000004
【図３】
2005333310.tif 000005